(57)【要約】  【課題】円形開口部の内周縁にめくれバリ等の変形を生じさせることなく、ボールをリテーナ本体の一面側及び他面側のいずれの側からもボール受け部へ圧入させうるとともに該ボール受け部へのボールの圧入工程の自動化をしやすくして生産性を向上させる。  【解決手段】ボール保持部１０に、ボールを転動可能に保持するボール受け部１１と、リテーナ本体９の一面９ａ側及び他面９ｂ側に開口され、ボールの一部を所要量突出させる円形開口部１２ａ，１２ｂと、両円形開口部１２ａ，１２ｂの内周縁にそれぞれ所要幅をもって形成され、ボール受け部１１へボールの圧入後に円形開口部１２ａ，１２ｂにおける内周縁の変形を抑止する変形抑止帯１３ａ，１３ｂとを具備させた。【選択図】図１
2007092873.tif 000002
【特許請求の範囲】
【請求項１】
所要厚さのリング状プレートからなるリテーナ本体に、該リテーナ本体の一面側及び他面側にスラスト荷重を受けるボールの一部を所要量突出させつつ該ボールをそれぞれ転動可能に保持するボール保持部を周方向に複数個設けてなるリテーナ構造において、
前記各ボール保持部は、該ボールを転動可能に保持するボール受け部と、前記リテーナ本体の一面側及び他面側に開口され、前記ボールの一部を所要量突出させる円形開口部と、前記リテーナ本体の一面側及び他面側における前記円形開口部の内周縁にそれぞれ所要幅をもって形成され、前記ボール受け部へ前記ボールの圧入後に前記内周縁の変形を抑止する変形抑止帯とを備えてなることを特徴とするリテーナ構造。
【請求項２】
上記変形抑止帯における上記所要幅の幅方向は、上記リング状プレートの中心軸にほぼ平行であることを特徴とする請求項１記載のリテーナ構造。
【請求項３】
上記リテーナ本体は、樹脂材製であることを特徴とする請求項１又は２記載のリテーナ構造。
【請求項４】
上記リテーナ本体の一面側及び他面側からみた上記ボール保持部の形状は、ほぼ同一であり、上記リテーナ本体上への、上記ボール受け部へ上記ボールの圧入方向を指示する目印は不要としてなることを特徴とする請求項１，２又は３記載のリテーナ構造。
【発明の詳細な説明】
【技術分野】
【０００１】
本発明は、リテーナ構造に関するものであり、特に、ディスク駆動モータ等に使用されるスラスト玉軸受におけるリテーナ構造に関するものである。
【背景技術】
【０００２】
リテーナ構造に関連する従来技術として、例えば次のようなディスク駆動モータが知られている。この従来技術は、モータ基板に支持されて、ロータマグネットの磁気吸引力により発生するスラスト方向の荷重を受けるスラスト玉軸受が配置されている。このスラスト玉軸受は、ロータ側に固着されて該ロータと共に回転する回転輪（ロータ側スラスト受板）と、モータ基板の上面に固着された固定側の固定輪（ステータ側スラスト受板）と、これらの回転輪と固定輪に対接する複数個のボールと、このボールを回転自在に支持するリテーナとで構成されている。
【０００３】
該リテーナには、ボールの外形面に対応した球面からなる内周面を持ち、該ボールを回転自在に支持するボール受け部と、表、裏両面に開口され、前記ボールの一部を所要量突出させて前記回転輪及び固定輪にそれぞれ対接させる円形開口部とが形成されている。回転輪と固定輪は、平ワッシャ状（リング状プレート）で同一厚さの共通部品である。したがって、同一部品がボールを挟み込んで該ボールにそれぞれ対接していることになる。ボールは、通常のボールベアリングに使用されている高硬度の鋼球又はセラミックボールである。また、回転輪と固定輪は、ステンレス材が使用されている（例えば、特許文献１参照）。
【０００４】
ところで、前記リテーナに対する前記ボールの組み付けは、該ボールを、リテーナにおける表、裏両面のうちのいずれかの円形開口部からボール受け部へ圧入させる方法が一般的である。しかしながら、リテーナの表、裏両面とボール受け部内の球面とのなす角度は、９０度以下の鋭角となっているため、円形開口部の内周縁部は機械的に弱い場合が多く、鋼球からなるボールを、円形開口部からボール受け部へ圧入させる際に円形開口部の内周縁にめくれバリ等の変形を生じさせるおそれがある。
【０００５】
これを改善するようにした従来のリテーナ構造として、例えば図３及び図４にに示すようなものがある。図４は、図３のＡ−Ａ線に沿う拡大断面図である。この従来技術は、リング状プレートからなるリテーナ本体１に、該リテーナ本体１の一面１ａ側及び他面１ｂ側にスラスト荷重を受けるボール２の一部を所要量突出させつつ該ボール２をそれぞれ転動可能に保持するボール保持部３が周方向に６個形成されている。
【０００６】
各ボール保持部３，…には、ボール２の外形面に対応した球面からなる内周面を持ち、該ボール２を転動可能に保持するボール受け部４と、リテーナ本体１の一面１ａ側及び他面１ｂ側に開口され、前記ボール２の一部を所要量突出させる円形開口部５ａ，５ｂと、前記リテーナ本体１の一面１ａ側における円形開口部５ａの内周縁に、前記ボール受け部４へボール２を圧入する際に、当該円形開口部５ａにおける内周縁の変形を抑止するための所要幅の変形抑止帯６とが形成されている。
【０００７】
リテーナ本体１における一面１ａ側の外周縁には、ボール受け部４へボール２の圧入方向を指示する目印７が、前記外周縁の角部を適宜量切り落とすことにより形状化されている。上記のボール保持部３、変形抑止帯６及び目印７等を備えたリテーナ本体１は、樹脂成形により作製されている。
【０００８】
そして、目印７による指示を基に、変形抑止帯６が形成された一面１ａ側の円形開口部５ａのみから、ボール２を、ボール受け部４へ圧入させることにより、該円形開口部５ａの内周縁にめくれバリ８等の変形が発生するのを抑えるようにしている。
【特許文献１】特開２００２−２３３０９８号公報（第３頁、図２）。
【発明の開示】
【発明が解決しようとする課題】
【０００９】
特許文献１に記載の従来技術においては、リテーナの表、裏両面とボール受け部内の球面とのなす角度は、９０度以下の鋭角となっているため、鋼球からなるボールを、リテーナの表、裏いずれの側の円形開口部からボール受け部へ圧入させても、その圧入の際に円形開口部の内周縁にめくれバリ等の変形を生じさせるおそれがある。
【００１０】
図３及び図４に示した従来技術においては、リテーナ本体１の他面１ｂ側における円形開口部５ｂの内周縁には変形抑止帯６がなく、ボール受け部４へのボール２の圧入方向に、一面１ａ側の円形開口部５ａのみからという方向性があるため、誤って、前記他面１ｂ側の円形開口部５ｂから、ボール受け部４へボール２を圧入させてしまうと、該円形開口部５ｂの内周縁にめくれバリ８等の変形を生じさせるおそれがある（前記図４参照）。また、ボール受け部４へのボール２の圧入方向に方向性があると、ボール受け部４へのボール２の圧入工程の自動化を図る場合、簡単な組み込み治具では、対応できず、圧入工程の自動化がしにくくなる。
【００１１】
そこで、円形開口部の内周縁にめくれバリ等の変形を生じさせることなく、ボールをリテーナ本体の一面側及び他面側のいずれの側からもボール受け部へ圧入させうるとともに該ボール受け部へのボールの圧入工程の自動化をしやすくして生産性を向上させ、さらにはリテーナ本体成形用の金型の製造コストを低減させるために解決すべき技術的課題が生じてくるのであり、本発明はこの課題を解決することを目的とする。
【課題を解決するための手段】
【００１２】
本発明は上記目的を達成するために提案されたものであり、請求項１記載の発明は、所要厚さのリング状プレートからなるリテーナ本体に、該リテーナ本体の一面側及び他面側にスラスト荷重を受けるボールの一部を所要量突出させつつ該ボールをそれぞれ転動可能に保持するボール保持部を周方向に複数個設けてなるリテーナ構造において、前記各ボール保持部は、該ボールを転動可能に保持するボール受け部と、前記リテーナ本体の一面側及び他面側に開口され、前記ボールの一部を所要量突出させる円形開口部と、前記リテーナ本体の一面側及び他面側における前記円形開口部の内周縁にそれぞれ所要幅をもって形成され、前記ボール受け部へ前記ボールの圧入後に前記内周縁の変形を抑止する変形抑止帯とを備えてなるリテーナ構造を提供する。
【００１３】
この構成によれば、ボールを、リテーナ本体の一面側及び他面側のいずれの側の円形開口部からも、該円形開口部の内周縁にめくれバリ等の変形を生じさせることなくボール受け部へ圧入させることが可能となる。
【００１４】
請求項２記載の発明は、上記変形抑止帯における上記所要幅の幅方向は、上記リング状プレートの中心軸にほぼ平行であるリテーナ構造を提供する。
【００１５】
この構成によれば、リテーナ本体の一面及び他面と変形抑止帯とのなす各角度、並びにボール受け部の球面と変形抑止帯とのなす角度がいずれも９０度以上の鈍角となる。
【００１６】
請求項３記載の発明は、上記リテーナ本体は、樹脂材製であるリテーナ構造を提供する。      
【００１７】
この構成によれば、リテーナ本体に可撓性が付与され、ボールを、ボール受け部の直径よりも小さな直径の円形開口部から、該円形開口部の内周縁にめくれバリを生じさせることなく前記ボール受け部へ容易に圧入させることが可能となる。リテーナ本体は、金型を用いた樹脂材料のモールディングにより作製される。このとき、ボール保持部は、ピン状の金型部分により樹脂モールド後、該ピン状金型部分のむりぬきにより作製される。
【００１８】
請求項４記載の発明は、上記リテーナ本体の一面側及び他面側からみた上記ボール保持部の形状は、ほぼ同一であり、上記リテーナ本体上への、上記ボール受け部へ上記ボールの圧入方向を指示する目印は不要としてなるリテーナ構造を提供する。
【００１９】
この構成によれば、ボール保持部は、リテーナ本体の一面側及び他面側からみてほぼ同一形状となることで、ボール受け部へのボールの圧入方向に選択性がなくなる。したがって、リテーナ本体上へ、ボールの圧入方向を指示する目印を設けることが不要となる。
【発明の効果】
【００２０】
請求項１記載の発明は、各ボール保持部は、該ボールを転動可能に保持するボール受け部と、リテーナ本体の一面側及び他面側に開口され、前記ボールの一部を所要量突出させる円形開口部と、前記リテーナ本体の一面側及び他面側における前記円形開口部の内周縁にそれぞれ所要幅をもって形成され、前記ボール受け部へ前記ボールの圧入後に前記内周縁の変形を抑止する変形抑止帯とを備えさせたので、円形開口部の内周縁にめくれバリ等の変形を生じさせることなく、ボールをリテーナ本体の一面側及び他面側のいずれの側からもボール受け部へ圧入させることができて、該ボール受け部へのボールの圧入工程の自動化がしやすくなる。したがって、生産性を向上させることができるという利点がある。
【００２１】
請求項２記載の発明は、上記変形抑止帯における上記所要幅の幅方向は、上記リング状プレートの中心軸にほぼ平行としたので、リテーナ本体の一面及び他面と変形抑止帯とのなす各角度、並びにボール受け部の球面と変形抑止帯とのなす角度が、いずれも９０度以上の鈍角となることで、ボールを円形開口部からボール受け部へ圧入させる際、該円形開口部の内周縁にめくれバリ等の変形が発生するのを一層確実に抑止することができる。したがって、ボールをリテーナ本体の一面側及び他面側のいずれの側からボール受け部へ圧入させても、ボールの確実な転動動作を保証することができるという利点がある。
【００２２】
請求項３記載の発明は、上記リテーナ本体は、樹脂材製としたので、リテーナ本体に可撓性が付与されることで、ボールを、ボール受け部の直径よりも小さな直径で且つ、リテーナ本体の一面側及び他面側のいずれの側の円形開口部からも、該円形開口部の内周縁にめくれバリを生じさせることなく前記ボール受け部へ容易に圧入させることができるという利点がある。
【００２３】
請求項４記載の発明は、上記リテーナ本体の一面側及び他面側からみた上記ボール保持部の形状は、ほぼ同一であり、上記リテーナ本体上への、上記ボール受け部へ上記ボールの圧入方向を指示する目印は不要としたので、ボール保持部は、リテーナ本体の一面側及び他面側からみてほぼ同一形状となり、またリテーナ本体上へは、ボールの圧入方向を指示する目印を設けることが不要となることで、リテーナ本体成形用の金型の製造コストを低減させることができるという利点がある。
【発明を実施するための最良の形態】
【００２４】
円形開口部の内周縁にめくれバリ等の変形を生じさせることなく、ボールをリテーナ本体の一面側及び他面側のいずれの側からもボール受け部へ圧入させうるとともに該ボール受け部へのボールの圧入工程の自動化をしやすくして生産性を向上させ、さらにはリテーナ本体成形用の金型の製造コストを低減させるという目的を、所要厚さのリング状プレートからなるリテーナ本体に、該リテーナ本体の一面側及び他面側にスラスト荷重を受けるボールの一部を所要量突出させつつ該ボールをそれぞれ転動可能に保持するボール保持部を周方向に複数個設けてなるリテーナ構造において、前記各ボール保持部には、前記ボールの外形面に対応した球面を持ち、該ボールを転動可能に保持するボール受け部と、前記リテーナ本体の一面側及び他面側に開口され、前記ボールの一部を所要量突出させる円形開口部と、前記リテーナ本体の一面側及び他面側における前記円形開口部の内周縁にそれぞれ所要幅をもつとともに該所要幅の幅方向が、前記リング状プレートの中心軸にほぼ平行に形成され、前記ボール受け部へ前記ボールの圧入後に前記内周縁の変形を抑止する変形抑止帯とを具備し、さらに前記リテーナ本体上への、前記ボール受け部へ前記ボールの圧入方向を指示する目印は不要とすることにより実現した。
【実施例】
【００２５】
以下、本発明の実施例を図面に従って詳述する。まず、本実施例に係るリテーナ構造の構成を説明する。図１はリテーナ構造の要部断面図、図２はリテーナ構造にボールを組み込んだ状態を示す要部断面図である。
【００２６】
図１及び図２において、所要厚さのリング状プレートからなるリテーナ本体９に、該リテーナ本体９の一面９ａ側及び他面９ｂ側にボール（鋼球）２の一部を所要量突出させつつ該ボール２をそれぞれ転動可能に保持するボール保持部１０が周方向に複数個設けられている。
【００２７】
前記各ボール保持部１０，…には、前記ボール２の外形面に対応した球面を持ち、該ボール２を転動可能に保持するボール受け部１１と、前記リテーナ本体９の一面９ａ側及び他面９ｂ側に開口され、前記ボール２の一部を所要量突出させる円形開口部１２ａ，１２ｂと、前記リテーナ本体９の一面９ａ側及び他面９ｂ側における両円形開口部１２ａ，１２ｂの内周縁にそれぞれ所要幅をもって形成され、前記ボール受け部１１へ前記ボール２の圧入後に前記円形開口部１２ａ，１２ｂにおける内周縁の変形を抑止するための変形抑止帯１３ａ，１３ｂとが形成されている。
【００２８】
該変形抑止帯１３ａ，１３ｂにおける前記所要幅の幅方向は、前記リング状プレートの中心軸１４にほぼ平行に形成されている。したがって、リテーナ本体９の一面９ａ及び他面９ｂと変形抑止帯１３ａ，１３ｂとのなす各角度、並びにボール受け部１１の球面と変形抑止帯１３ａ，１３ｂとのなす角度は、いずれも９０度以上の鈍角となっている。
【００２９】
リテーナ本体９の一面９ａ側及び他面９ｂ側からみた前記ボール保持部１０の形状は、ほぼ同一であり、本実施例のリテーナ構造には、前記ボール受け部１１へのボール２の圧入方向に選択性がない。このため、前記図４に示したような、前記リテーナ本体９上への、ボール受け部１１へボール２の圧入方向を指示する目印は設けられていない。
【００３０】
上記のボール受け部１１、円形開口部１２ａ，１２ｂ及び変形抑止帯１３ａ，１３ｂ等を備えたリテーナ本体９は、金型を用いた樹脂材料のモールディングにより作製されている。このとき、上下対称形状のボール保持部１０は、ピン状の金型部分により樹脂モールド後、該ピン状金型部分のむりぬきにより作製されている。
【００３１】
図２に示すように、リテーナ本体９におけるボール受け部１１へボール２の圧入後、該ボール２が、固定側スラスト受板１５と回転側スラスト受板１６とで挟まれるように、該固定側スラスト受板１５と回転側スラスト受板１６とに対接してスラスト玉軸受が構成されている。前記固定側スラスト受板１５は、例えばモータのステータ側に固定され、前記回転側スラスト受板１６は、例えばモータのロータ側に固定されている。
【００３２】
次に、上述のように構成されたリテーナ構造の作用を説明する。リテーナ構造は、前記リテーナ本体９の一面９ａ側及び他面９ｂ側における両円形開口部１２ａ，１２ｂの内周縁にそれぞれ変形抑止帯１３ａ，１３ｂが形成され、前記ボール受け部１１へのボール２の圧入方向に選択性がないことで、ボール２を、リテーナ本体９の一面９ａ側及び他面９ｂ側のいずれの側の円形開口部１２ａ，１２ｂからも、該円形開口部１２ａ，１２ｂの内周縁にめくれバリ等の変形を生じさせることなくボール受け部１１へ圧入させることが可能となる。
【００３３】
そして、リテーナ本体９の一面９ａ及び他面９ｂと変形抑止帯１３ａ，１３ｂとのなす各角度、並びにボール受け部１１の球面と変形抑止帯１３ａ，１３ｂとのなす角度が、いずれも９０度以上の鈍角となっていることで、円形開口部１２ａ，１２ｂの内周縁にめくれバリ等の変形が発生するのを、一層確実に抑止することが可能となる。
【００３４】
リテーナ本体９におけるボール受け部１１へボール２が圧入され、該ボール２が、固定側スラスト受板１５と回転側スラスト受板１６とで挟まれてスラスト玉軸受としての構成後は、ロータの回転に応じて各ボール２，…がスラスト荷重を受けつつ各ボール受け部１１，…内を転動し、当該ロータのスムーズな回転が行われる。
【００３５】
上述したように、本実施例に係るリテーナ構造においては、ボール２をリテーナ本体９の一面９ａ側及び他面９ｂ側のいずれの側からもボール受け部１１へ圧入させることができて、該ボール受け部１１へのボール２の圧入工程の自動化がしやすくなる。したがって、生産性を向上させることができる。
【００３６】
ボール２を円形開口部１２ａ，１２ｂからボール受け部１１へ圧入させる際、該円形開口部１２ａ，１２ｂの内周縁にめくれバリ等の変形が発生するのを確実に抑止することができる。したがって、ボール２をリテーナ本体９の一面９ａ側及び他面９ｂ側のいずれの側からボール受け部１１へ圧入させても、ボール２の確実な転動動作を保証することができる。
【００３７】
ボール保持部１０は、リテーナ本体９の一面９ａ側及び他面９ｂ側からみてほぼ同一形状となり、またリテーナ本体９上へは、ボール２の圧入方向を指示する目印を設けることが不要となることで、リテーナ本体９成形用の金型の製造コストを低減させることができる。
【００３８】
なお、本発明は、本発明の精神を逸脱しない限り種々の改変をなすことができ、そして、本発明が該改変されたものにも及ぶことは当然である。
【図面の簡単な説明】
【００３９】
【図１】本発明の実施例に係るリテーナ構造の要部断面図。
【図２】上記実施例のリテーナ構造にボールを組み込んだ状態を示す要部断面図。
【図３】従来のリテーナ構造の斜視図。
【図４】図３のＡ−Ａ線に沿う拡大断面図。
【符号の説明】
【００４０】
２            ボール
９            リテーナ本体
９ａ          リテーナ本体の一面
９ｂ          リテーナ本体の他面
１０            ボール保持部
１１            ボール受け部
１２ａ，１２ｂ  円形開口部
１３ａ，１３ｂ  変形抑止帯
１４            リング状プレートの中心軸
【図１】
2007092873.tif 000003
【図２】
2007092873.tif 000004
【図３】
2007092873.tif 000005
【図４】
2007092873.tif 000006